(57)【要約】【課題】複数の表示画面を複数備える表示装置において、表示パネルに画像が正常に表示できなくなる状態を検知することを目的とする。【解決手段】ソースＩＣ１１３の内部のシフトレジスタから送られる最終信号は、終端に配置されたソースＩＣ１１３に接続されたソース検出配線１２１により、タイミングコントローラ１２０に送られる。同様に、ゲートＩＣ１１６のシフトレジスタから送られる最終信号は、終端のゲートＩＣ１１６に接続されたゲート検出配線１２２により、タイミングコントローラ１２０に送られる。タイミングコントローラ１２０において、ソース検出配線１２１、ゲート検出配線１２２により送られた信号を正常なタイミングで出力されたかどうかをモニター（監視）する。【選択図】図４
2018025589.tif 000002
【特許請求の範囲】
【請求項１】
それぞれが独立して画像表示が可能な複数の表示パネルと、
前記複数の表示パネルの前面に配置された保護板と、
前記複数の表示パネルのそれぞれの表示面を覆い、前記表示パネルを保護板に接着させる透明接着材と、を備え、
前記複数の表示パネルは、
複数の配線および電極が形成された一対の基板と
前記配線に信号を入力し前記電極を駆動する駆動回路と、
前記表示パネルから出力される信号の異常値を検知する検出回路と、
を備えていることを特徴とする表示装置。
【請求項２】
前記検出回路はそれぞれの表示パネルに対応して備えられ、前記検出回路により前記表示パネルから出力された信号が異常値であった場合、該異常値を検出した表示パネルに対し、信号の入力を停止する制御機能を備えていることを特徴とする請求項１記載の表示装置。
【請求項３】
前記制御機能は、前記異常値を検出しなかった表示パネルに対し、予め定めた所定の信号の入力を選択的に行う機能を備えていることを特徴とする請求項２記載の表示装置。
【請求項４】
前記表示装置は、前記複数の表示パネルに画像を表示させるためのカメラが複数接続されており、前記選択機能は、前記異常値を検出した一方の表示パネルに入力する信号停止し、前記カメラから入力された予め定めた所定の画像を表示させる信号を他方の表示パネルに選択して入力ことを特徴とする請求項３に記載の表示装置。
【請求項５】
前記表示装置は前記表示パネルを照射するバックライトを備え、前記バックライトは、前記複数の表示パネルに対応する照射領域を備え、バックライトを構成する光学部材が収納されるフレームが一体で構成される、請求項１から４のいずれか一項に記載の表示装置。
【請求項６】
前記フレームは、前記保護板の周辺部で固定されていることを特徴とする請求項５記載の表示装置。
【請求項７】
前記バックライトは、前記それぞれの表示パネルに対応した領域を照射する照射領域を備え、前記照射領域に対応した光源を点灯する複数の系統を備えていることを特徴とする請求項５または６記載の表示装置。
【請求項８】
前記バックライトの点灯系統は、前記表示パネルから出力された信号が異常値であった場合、異常値を検出した表示パネルを点灯する点灯系統を停止する制御機能を備えたことを特徴とする請求項５から７のいずれか一項に記載の表示装置。
【請求項９】
前記表示パネルは、横電界方式であることを特徴とする、請求項１から８のいずれか一項に記載の表示装置。
【請求項１０】
前記表示パネルは、前記基板の表面にそれぞれ偏光板が貼り付けられており、表示面側の偏光板は、一枚の偏光板であって、それぞれの表示パネルを連結して配置させることを特徴とする、請求項１から９のいずれか一項に記載の表示装置。
【請求項１１】
前記表示パネル間であって、前記表示パネルの端部に遮光部材が配置されていることを特徴とする請求項１０に記載の表示装置。
【発明の詳細な説明】
【技術分野】
【０００１】
本発明は、画像を表示する表示パネルを複数備える表示装置に関するものである。
【背景技術】
【０００２】
一般的な表示装置は、画像を表示する表示パネルおよび表示パネルを照射するバックライトにより構成されている。
【０００３】
表示パネルの一例である、液晶表示パネルは、複数の配線をマトリクス状に形成する画素および画素電極が形成された第１の基板および第１の基板と対面して配置された第２の基板間に液晶が挟持された構成を有している。また、液晶表示パネルの基板の表面には、偏光板が貼り付けられている。
【０００４】
第１の基板に形成された複数の配線のうち、水平方向に形成した走査配線に水平走査期間ごとに順次走査信号を印加し、垂直方向の信号配線に順次所定の信号電圧を印加して対応する画素電極に表示電圧を印加することで画像が表示される。
【０００５】
この表示画像は、液晶表示パネルの背面に設置されたバックライトにより光が照射されることで観察者に視認される。
【０００６】
液晶表示パネルで構成される液晶表示装置は、パソコン用のディスプレイ、産業用途に使用される装置類、車載の表示装置、ハンディ端末や広告表示機等、屋外で使用される装置など様々な分野で利用される。また、表示画面を複数備え、異なる画面もしくは同一画面を表示する表示装置にも利用されている。表示画面を複数備える構成については、特許文献１または特許文献２に記載されている。
【先行技術文献】
【特許文献】
【０００７】
【特許文献１】特開２００５−９１８７３号公報
【特許文献２】特開２０１３−１３０７７９号公報
【発明の概要】
【発明が解決しようとする課題】
【０００８】
特許文献１記載の表示装置において、パネル間はモールド材で接合し、両面に偏光板を貼りつける構成が開示されている。特許文献２の表示装置においては、連結シートなどの接着材層により複数の表示ユニットを連結し、保護板を表示ユニットの前面に配置する構成が開示されている。
【０００９】
複数の表示画面を複数備える表示装置において、表示パネルの故障などで、表示パネルに画像の表示ができなくなることが考えられる。表示パネルに画像が正常に表示されない場合、利用手段によっては、支障をきたす場合がある。
【００１０】
本発明は、上記の問題点を解決するためになされたものであって、複数の表示画面を複数備える表示装置において、表示パネルに画像が正常に表示できなくなる状態を検知することを目的とする。
【課題を解決するための手段】
【００１１】
本発明の表示装置は、それぞれが独立して画像表示が可能な複数の表示パネルと、前記複数の表示パネルの前面に配置された保護板と、前記複数の表示パネルのそれぞれの表示面を覆い、前記表示パネルを保護板に接着させる透明接着材と、を備え、前記複数の表示パネルは、複数の配線および電極が形成された一対の基板と前記配線に信号を入力し前記電極を駆動する駆動回路と、前記表示パネルから出力される信号の異常値を検知する検出回路と、を備えていることを特徴とする。
【発明の効果】
【００１２】
上記の表示装置によれば、表示パネルから出力される信号の異常値を検知する検出回路を備えているので、複数の表示パネルのうち、正常な画像が表示されない表示パネルを検知することができる。
【図面の簡単な説明】
【００１３】
【図１】本発明の表示装置の正面図である。
【図２】図１の表示装置のＩ−Ｉ断面図である。
【図３】図１の表示装置のＩＩ−ＩＩ断面図である。
【図４】本発明の表示装置を構成する表示パネルの正面図である。
【図５】本発明の表示装置の模式図である。
【図６】本発明の表示装置を構成するバックライトの正面図である。
【図７】本発明の実施の形態２における表示装置の断面図である。
【発明を実施するための形態】
【００１４】
以下、本発明の表示装置の構造について、図面を用いて説明を行う。なお、本実施の形態において、同一の符号を用いたものは同一または実質的に同一の構成要素を示すものである。
【００１５】
＜実施の形態１＞
図１は本発明の表示装置の正面図、図２は、図１の表示装置のＩ−Ｉ断面図、図３は、図１の表示装置のＩＩ−ＩＩ断面図、図４は、本発明の表示装置を構成する表示パネルの正面図、図５は、本発明の表示装置の模式図、図６は、本発明の表示装置を構成するバックライトの正面図である。
【００１６】
図１〜図４において、本発明の表示装置１００は、表示パネル１として、第１の表示パネル１Ａ、第２の表示パネル１Ｂの側面が対向するように２枚配置されており、該表示パネル１を照射するために表示パネル１の表示面側と反対側の面である反表示面側に配置されるバックライト２を備えている。表示装置１００は複数の表示パネル１の表示面側に表示パネル１を保護する保護板３が配置される。なお、本実施の形態１においては、２枚の表示パネル１の表示面側に透明接着材４が配置され、第１の表示パネル１Ａ、第２の表示パネル１Ｂが連結されている。バックライト２は、表示パネル１の反表示面側に配置され、複数の表示パネル１が配置される場合であっても一体で形成されたバックライト２を配置させる構造とする。また、表示パネル１に信号を入力する駆動回路（タイミングコントローラ１２０）を備える回路基板１１９は表示装置１００の裏面に配置される。
【００１７】
＜表示パネル＞
図３または４において、表示パネル１は、透過型または半透過型の液晶表示パネル等より構成されている。ガラスなどの絶縁性基板上にスイッチング素子となるＴＦＴ（薄膜トランジスタ：Ｔｈｉｎ  Ｆｉｌｍ  Ｔｒａｎｓｉｎｔｅｒ）、画素電極等が形成された第１の基板１１と、ＣＦ（カラーフィルタ：Ｃｏｌｏｒ  Ｆｉｌｔｅｒ）、遮光のために形成されたブラックマトリクス１４、対向電極等が形成された第２の基板１２と、を備えている。また、第１の基板１１と第２の基板１２とを貼り合わせるためのシール材１３、また、両基板間に狭持させる液晶１６、液晶１６を配光させる配向膜（図示せず）、両基板の外表面上に配置された偏光板１５などにより構成されている。なお、第１の表示パネル１Ａ、第２の表示パネル１Ｂ間であって、保護板３の裏面側には黒枠印刷３１が配置される。黒枠印刷３１は第１の表示パネル１Ａに形成されたブラックマトリクス１４の表示パネル１Ａの内方の端部１４１から、第２の表示パネル１Ｂに形成されたブラックマトリクス１４の表示パネル１Ｂの内方の端部１４２までの距離Ｄ１より長い幅Ｈ１で形成し、第１の表示パネル１Ａ、第２の表示パネル１Ｂ間から視認される光を遮光する。
【００１８】
表示パネル１について、図４を用いてさらに説明する。第１の基板１１には、表示領域ＡＲと、表示領域ＡＲに隣接する額縁領域ＢＲとが規定されている。表示領域ＡＲには、平面視において、互いに交差された複数のソース配線１１１及び複数のゲート配線１１４が配設されている。複数のソース配線１１１と、複数のゲート配線１１４とは、それらの間に配設された図示しない絶縁膜によって電気的に絶縁されている。また、複数のソース配線１１１及び複数のゲート配線１１４の交差部には、複数の電極（ＴＦＴ）１１７が形成されている。
【００１９】
額縁領域ＢＲには、ソース配線１１１と電気的に接続されるソース接続配線１１２およびソース接続配線１１２に接続される駆動用ＩＣ（Ｉｎｔｅｇｒａｔｅｄ Ｃｉｒｃｕｉｔ）である、ソースＩＣ１１３が配置されている。また、ゲート配線１１４と電気的に接続されるゲート接続配線１１５に接続されるゲートＩＣ１１６が配置されている。ソースＩＣ１１３は、複数のソース配線１１１に駆動用の映像信号を供給する。ゲートＩＣ１１６は、複数のゲート配線１１４に走査信号を供給する。なお、駆動用ＩＣは図４に示すようにカスケード接続されている。
【００２０】
第１の基板１１には可撓性の配線基板であるＦＰＣ（Ｆｌｅｘｉｂｌｅ ｐｒｉｎｔｅｄ ｃｉｒｃｕｉｔｓ）１１８を介して回路基板１１９が接続されている。回路基板１１９には、ソースＩＣ１１３、ゲートＩＣ１１６に信号を入力するタイミングコントローラ１２０が搭載されている。タイミングコントローラ１２０は、画像処理装置１３０に接続され、信号入力配線１３１を介して、表示パネル１に入力する信号を受け取る。
【００２１】
タイミングコントローラ１２０は、ソースＩＣ１１３に映像信号を供給する。また、ゲートＩＣ１１６に走査信号を供給する。映像信号が供給されたソースＩＣ１１３は内部のシフトレジスタ（図示せず）によって信号を順次送り、各ソース配線１１１に対応したデータを保持し、ソース配線１１１にアナログ電圧を出力する。走査信号が供給されたゲートＩＣ１１６は内部のシフトレジスタ（図示せず）によって信号を順次送り、各ゲート配線１１４に対応したゲート出力を出力する。
【００２２】
ソースＩＣ１１３の内部のシフトレジスタから送られる最終信号は、終端に配置されたソースＩＣ１１３に接続されたソース検出配線１２１により、タイミングコントローラ１２０に送られる。同様に、ゲートＩＣ１１６のシフトレジスタから送られる最終信号は、終端のゲートＩＣ１１６に接続されたゲート検出配線１２２により、タイミングコントローラ１２０に送られる。タイミングコントローラ１２０において、ソース検出配線１２１、ゲート検出配線１２２により送られた信号を正常なタイミングで出力されたかどうかをモニター（監視）する。正常なタイミングで出力されない場合や、最終信号が検知されない場合すなわち異常値である場合は、タイミングコントローラ１２０で故障信号であるかどうかが判断され、故障信号と判断された場合は、信号検出配線１３２を介して、画像処理装置１３０へ情報が送られる。画像処理装置１３０は、故障信号の情報を受け取った場合、当該表示パネル１に信号を入力することを停止する。
【００２３】
図５に本発明の表示装置１００の模式図を示す。本発明の表示装置１００は、複数の表示パネル１を備えており、各表示パネル１すなわち、第１の表示パネル１Ａ、第２の表示パネル１Ｂのそれぞれに信号入力配線１３１、信号検出配線１３２が接続されている。本発明の表示装置１００において、前述したように、第１の表示パネル１Ａより故障信号の情報が信号検出配線１３２より送られてきた際、画像処理装置１３０は、第１の表示パネル１Ａに信号入力配線１３１から信号を入力することを停止する。同様に、第２の表示パネル１Ｂにおいても、故障信号の検出を行う。第２の表示パネル１Ｂで故障信号の情報が送られなかった場合、画像処理装置１３０内で、予め定めた所定の信号を選択して、信号入力配線１３１より第２の表示パネル１Ｂに入力させる、制御機能を画像処理装置１３０に備えている。故障信号が送られなかった第２の表示パネル１Ｂに、予め定めた所定の信号を選択して入力することで、所望の画像、優先的に表示させるべき情報を表示することができる。故障信号が送られなかった第２の表示パネル１Ｂに、故障信号が送られた第１の表示パネル１Ａ、第２の表示パネル１Ｂの両方の信号を入力させて、画像を分割して表示させることも可能である。また、故障信号が送られなかった第２の表示パネル１Ｂに所望の信号を入力させる切替機能を画像処理装置１３０内に備え、別途手動で制御してもよい。
【００２４】
また、本発明の表示装置１００は、画像処理装置１３０に画像を撮影する第１のカメラ１４１、第２のカメラ１４２が接続されていてもよい。正常時は、第１のカメラ１４１で撮影された画像は、画像処理装置１３０を介して信号入力配線１３１より、第１の表示パネル１Ａへ送られ、第１の表示パネル１Ａで表示される。同様に第２のカメラ１４２で撮影された画像は、画像処理装置１３０を介して信号入力配線１３１から送られ、第２の表示パネル１Ｂで表示される。第１の表示パネル１Ａから故障信号の情報を受け取った場合、画像処理装置１３０は第１の表示パネル１Ａの信号を入力することを停止、すなわち第１のカメラ１４１の画像の表示を停止する。同時に、画像処理装置１３０に予め定めた所定の信号として、第１のカメラ１４１の画像を選択するよう制御されている場合は、第２の表示パネル１Ｂに第１のカメラ１４１で撮影された画像を表示させる。一方、第２のカメラ１４２で撮影された画像を選択するよう制御されている場合は、第２のカメラ１４２で撮影された画像が第２の表示パネル１Ｂに表示される。
【００２５】
＜バックライト＞
図６に本発明の表示装置１００に搭載されるバックライト２の正面図を示す。図６において、バックライト２は光を出射する光源２１を備えた光源基板２２、光源２１に電源を供給するＬＥＤ−ＦＰＣ２３により、光源ユニット２１１、２１２が形成されている。なお、ＬＥＤ−ＦＰＣ２３は図示しないコネクタと接続され、電源が供給されて光源２１が点灯する。バックライト２は、第１の表示パネル１Ａの照射領域２１１Ｒおよび第２の表示パネル１Ｂの照射領域２１２Ｒに対応して複数の系統を備えており、第１の光源ユニット２１１、第２の光源ユニット２１２に対し、電源の供給を制御することにより照射領域を制御することができる。また、光源ユニット２１１、２１２の電源の制御は、前述の画像処理装置１３０内に配置された表示パネル１に対する制御機能に連動して制御することができる。なお、図６においては、光源基板２２が分割した構成を開示したが、複数の系統を備える構成であれば、光源基板２２は分割することなく、一体で形成してもよい。なお、表示装置１００の表示パネル１が液晶１６の電界を横方向に制御する横電界方式の場合、表示パネル１への信号の入力が停止すると、液晶１６に電圧がかかっていない時に透過率あるいは反射率が最小となり黒い画面になるため、光源ユニット２１１、２１２への電源の制御は必要ない。しかしながら、光源ユニット２１１、２１２の電源の制御を行うことで、消費電力を低く抑えることができる。
【００２６】
また、バックライト２は、光源２１から出射された光を側面より入射して、前面に伝播する出射面、出射面と反対側に反出射面を備える導光板２４を備えている。導光板２４から出射された光の分布、広がりを制御するため、導光板２４の出射面に配置された複数枚の光学シート、導光板２４の反出射面から抜け出た光を再び導光板２４へ向かわせる反射板などを備えてもよい。
【００２７】
＜光源、光源基板＞
光源２１は、ＲＧＢ（Ｒｅｄ：赤、Ｇｒｅｅｎ：緑、Ｂｌｕｅ：青、光の３原色）の点状光源や、ＲＧＢ以外の発光色のＬＥＤ、または蛍光管ランプ（図示せず）が配置される。点状光源を使用する場合、点状光源を実装する光源基板２２として一般的なガラスエポキシ樹脂をベースにするものや、フレキシブルなフラットケーブルを使用してもよく、また放熱性を高めるために、アルミ等の金属やセラミックをベースとしたものを使用してもよい。光源２１、光源基板２２は、フレーム２５等に保持される。
【００２８】
＜導光板＞
導光板２４は、透明なアクリル樹脂やポリカーボネート樹脂、ガラスなどで構成され、導光板２４の反出射面または／および出射面には、光を出射させるとともに、面内の光の強度分布や出射方向を調整するための、散乱用ドットパターンやプリズム形状を備える。
【００２９】
＜フレーム＞
図２に示すように、バックライト２を構成する光学部材は、複数の第１の表示パネル１Ａおよび第２の表示パネル１Ｂの側面が対向するように連結させたサイズで形成され、フレーム２５に保持されている。よって、第１の表示パネル１Ａおよび第２の表示パネル１Ｂに対応するそれぞれのフレーム（図示せず）が連結して構成された場合と比較して、表示パネル１の間隔を狭くすることができる。表示パネル１間の間隔を狭くすることができるため、複数の表示パネル１に１画面の画像を表示する用途に使用する場合、継ぎ目が広くなり違和感が生じることを防止することができる。
【００３０】
また、フレーム２５は、第１の表示パネル１Ａおよび第２の表示パネル１Ｂを内部に保持し、保護板３の裏面の周辺部に固定される構造となっている。このため、表示装置１００に背面において、外部からの衝撃が加わった場合、第１の表示パネル１Ａおよび第２の表示パネル１Ｂに応力が伝わりにくい。よって、第１の表示パネル１Ａおよび第２の表示パネル１Ｂの破損を防止することができる。
【００３１】
前述のように、本発明の表示装置１００によれば、複数枚の表示パネル１の表示面側に透明接着材４が配置され、複数の表示パネル１が連結され、保護板３が配置されることにより、表示パネル１の前面が保護され、複数配置された表示パネルの破損などを防止することができる。また、複数の表示パネル１が、表示パネル１に配置されたタイミングコントローラ１２０において、ソースＩＣ１１３またはゲートＩＣ１１６に接続された検出配線１２１、１２２より送られた信号を正常なタイミングで出力されたかどうかをモニター（監視）する。このように、表示パネル１に画像が正常に表示できなくなる状態を検知することができる。
【００３２】
また、正常なタイミングで出力されない場合や、最終信号が検知されない場合すなわち異常値である場合は、タイミングコントローラ１２０で故障信号であるかどうかが判断され、故障信号と判断された場合は、検出信号配線１３２を介して、画像処理装置１３０へ情報が送られる。画像処理装置１３０は、故障信号の情報を受け取った場合、当該表示パネル１に信号を入力することを停止する制御機能を備えているので、使用者に表示装置１００の故障の有無を知らせることができる。
【００３３】
また、複数の表示パネルの１うち、第２の表示パネル１Ｂにおいても、故障信号の検出を行うが、第２の表示パネル１Ｂで故障信号の情報が送られなかった場合、画像処理装置１３０内で、予め定めた所定の信号を選択して、信号入力配線１３１より第２の表示パネル１Ｂに入力させる、制御機能を画像処理装置１３０に備えているため、表示装置１００が故障した場合であっても、故障信号が送られなかった一方の表示パネルに所望の画像、優先的に表示させるべき情報を表示させることができる。
【００３４】
また、表示装置１００に、画像処理装置１３０に画像を撮影する、第１のカメラ１４１、第２のカメラ１４１を接続し、第１の表示パネル１Ａから故障信号の情報を受け取った場合、画像処理装置１３０は第１の表示パネル１Ａの信号を入力することを停止する。同時に、画像処理装置１３０に予め定めた所定の信号として、第１のカメラ１４１の画像を選択するよう制御されている場合は、第２の表示パネル１Ｂに第１のカメラ１４１で撮影された画像を表示させる。このように設定させているため、表示装置１００が故障した場合であっても、故障信号が送られなかった一方の表示パネルに所望の画像、優先的に表示させるべき情報を表示させることができる。
【００３５】
また、表示装置１００はバックライト２を備え、それぞれの表示パネル１に対応する、光学部材を保持するフレーム２５が一体で構成されているので、第１の表示パネル１Ａおよび第２の表示パネル１Ｂに対応するそれぞれのフレームで構成された場合と比較して、表示パネル１の間隔を狭くすることができる。また、フレーム２５は、保護板３の周辺部に固定されているので、表示装置１００に外部からの衝撃が加わった場合、第１の表示パネル１Ａおよび第２の表示パネル１Ｂに応力が伝わるのを防止し、第１の表示パネル１Ａおよび第２の表示パネル１Ｂの破損を防止することができる。
【００３６】
また、バックライト２は、第１の表示パネル１Ａの照射領域２１１Ｒおよび第２の表示パネル１Ｂの照射領域２１２Ｒに対応して複数の系統を備えており、電源の供給を制御することにより照射領域を制御することができる。また、画像処理装置１３０内に配置された表示パネル１に対する制御機能に連動して点灯制御することで、故障した表示パネルへの電源の供給を停止し、消費電力を抑えることができる。
＜実施の形態２＞
【００３７】
図７は、本発明の形態２の表示装置１００の断面図である。実施の形態１において、１００は、複数枚の表示パネル１の表示面側に透明接着材４を配置して、複数の表示パネル１を連結し保護板３を配置する構造としたが、本実施の形態２の表示装置１００において、第２の基板１２と対向して配置される偏光板１５１を１枚として共通化し、複数の表示パネル１に対応して配置する構成とする。また、複数の表示パネル間１であって、表示パネル１の側面に樹脂材１７を配置して、表示パネル１間からの光を遮光する。
【００３８】
実施の形態２の表示装置１００によれば、複数の表示パネルに対応した偏光板１５１を１枚とすることで、複数の表示パネル１を透明接着剤４に貼り付ける際に発生していた、偏光板１５端を起点とする透明接着剤４からの剥がれ等を防止することができる。また、実施の形態１で複数の表示パネル１を保護板３に貼り付ける際に形成していた黒枠印刷３１を配置する必要がなくなる。また、黒枠印刷３１と偏光板１５１と表示パネル１Ａ，1Ｂとのそれぞれの位置合わせのためのマージンが必要なくなるため、実施の形態１と比較し、複数の表示パネル１間の幅Ｈ２を狭くすることができる。なお、第１の基板１１の表面側に配置される偏光板１５２をそれぞれの表示パネル１Ａ、１Ｂに対応して配置させることで、保護板３に表示パネル１Ａ、1Ｂを貼りつけた後でも、樹脂材１７を配置することができる。
【００３９】
以上説明したように、本発明の表示装置はアクティブマトリクス型液晶表示装置や、有機エレクトロルミネッセンス型表示装置のいずれにおいても利用可能である。
【００４０】
また、本発明はその発明の範囲内において、各実施の形態を自由に組み合わせたり、各実施の形態を適宜、変更、省略することが可能である。
【符号の説明】
【００４１】
１  表示パネル、１Ａ  第１の表示パネル、１Ｂ  第２の表示パネル、
１１  第１の基板、１１１  ソース配線、１１２  ソース接続配線、１１３  ソースＩＣ、１１４  ゲート配線、１１５  ゲート接続配線、１１６  ゲートＩＣ、１１７  電極（ＴＦＴ）、１２  第２の基板、１２０  タイミングコントローラ、
１２１  ソース検出配線、１２２  ゲート検出配線、
１３０  画像処理装置、１３１  信号入力配線、１３２  信号検出配線、
１３  シール材、１４  ブラックマトリクス、１５、１５１、１５２  偏光板、
１６  液晶、１１８  ＦＰＣ、１１９  回路基板、２  バックライト、
２１  光源、２２  光学シート、２３  ＬＥＤ−ＦＰＣ、２４  導光板、
２５  フレーム、２１１  第１の光源ユニット、２１２  第２の光源ユニット、
３  保護板、３１  黒枠印刷、４  透明接着剤、１００  表示装置。
【図１】
2018025589.tif 000003
【図２】
2018025589.tif 000004
【図３】
2018025589.tif 000005
【図４】
2018025589.tif 000006
【図５】
2018025589.tif 000007
【図６】
2018025589.tif 000008
【図７】
2018025589.tif 000009